(57)【特許請求の範囲】
【請求項１】
（Ａ）炭素数８以上、１８以下の直鎖又は分岐鎖のアルキル基を２つ有するジアルキルスルホサクシネート又はその塩（以下、（Ａ）成分という。）５５質量％以上、７５質量％以下、（Ｂ）ジエチレングリコールモノブチルエーテル（以下、（Ｂ）成分という。）０．５質量％以上、５０質量％以下、及び水を含有し、（Ａ）成分と（Ｂ）成分の質量比（Ａ）／（Ｂ）が１０以上、２５以下である、食器用浸漬洗浄剤組成物。
【請求項２】
更に、（Ｃ）プロピレングリコールを含有する、請求項１記載の食器用浸漬洗浄剤組成物。
【請求項３】
更に、（Ｄ）エタノールを含有する、請求項１又は２記載の食器用浸漬洗浄剤組成物。
【請求項４】
下記工程１の終了後、下記工程２を行う、食器の洗浄方法。
工程１：下記（Ａ）成分を０．００５５質量％以上、３．７５質量％以下、下記（Ｂ）成分を０．００００５質量％以上、２．５質量％以下、及び水を含有し、（Ａ）成分と（Ｂ）成分の質量比（Ａ）／（Ｂ）が１０以上、２５以下である、洗浄液に、食器を５分以上、３０分以下浸漬する工程。
（Ａ）成分：炭素数８以上、１８以下の直鎖又は分岐鎖のアルキル基を２つ有するジアルキルスルホサクシネート又はその塩
（Ｂ）成分：ジエチレングリコールモノブチルエーテル
工程２：自動食器洗浄機を用いて食器を洗浄する工程。
【請求項５】
工程１の洗浄液が、請求項１〜３何れか１項記載の食器用浸漬洗浄剤組成物を水で希釈した洗浄液である、請求項４記載の食器の洗浄方法。
【発明の詳細な説明】
【技術分野】
【０００１】
本発明は、食器用の浸漬洗浄剤組成物及び洗浄方法に関する。
【背景技術】
【０００２】
商業施設、病院、介護施設、学校、事業所などで食器類を洗浄する場合、大量の食器類を短時間で洗浄するのに適した、いわゆる業務用自動食器洗浄機が用いられる。業務用自動食器洗浄機を用いた米飯等の食器の洗浄では、手洗い用食器洗浄剤を希釈した溶液に食器を浸漬した後、スポンジを用いた予備洗いを行う。その後、業務用自動食器洗浄機での洗浄が行われる。
【０００３】
特許文献１は、ジアルキルスルホサクシネート類及びアミンオキシド類を含有する、油やデンプン汚れに対する洗浄力に優れる液体洗剤組成物を開示している。
特許文献２は、ジアルキルスルホサクシネート、脂肪酸、マグネシウム無機化合物、アルキルグリコールアルキルエーテル及び水を含有する手洗い用食器洗浄剤組成物を開示している。
特許文献３は、ジアルキルスルホサクシネート、陰イオン界面活性剤及びアルキルグリセリルエーテルを含有する手洗い用食器洗浄剤組成物を開示している。
【先行技術文献】
【特許文献】
【０００４】
【特許文献１】特表２００８−５０７６１１号公報
【特許文献２】特開２０１２−１４０５７１号公報
【特許文献３】特開２０１１−２３１３１１号公報
【発明の概要】
【発明が解決しようとする課題】
【０００５】
食器に乾燥固着した米飯汚れは、その存在状態により洗浄性が異なる。固形の粒状態では洗浄機の物理力により洗浄する事が出来るが、水を含みスラリー状となって乾燥した場合、デンプンの薄膜となり食器表面に残存して落としづらい汚れとなる。又、経年使用による食器の凹部に蓄積する事で更に洗浄しづらい状況となる。これらデンプン汚れは、洗浄後の目視観察では確認しづらく、ヨウ素溶液を噴霧する事でその残存が確認できるが、これを常態的に行うことは煩雑である。衛生面などから、業務用自動食器洗浄機を用いた洗浄により、食器に付着した目に見えにくいデンプン汚れを極力低減できることが望まれる。
【０００６】
乾燥固着したデンプン汚れの洗浄は、水と接触させる事によりデンプンを膨潤させる事で食器との親和力を低減する事が有効である。例えば、洗浄前に長時間の予備浸漬を行えば、乾燥固着したデンプン汚れは落としやすくなる。しかし、多くの施設では、多量の食器を短時間で洗浄したいという要請が強いため、できるだけ浸漬時間を短くする浸漬洗浄剤が望まれる。
【０００７】
一方、ジアルキルスルホサクシネートを高濃度で含有する組成物は、安定性が悪く、粘度や溶解性が悪いため使用性が優れない等の欠点があった。特許文献１から３はいずれも、組成物中のジアルキルスルホサクシネートの濃度が高くない。そのため、使用性や運搬コスト等を考慮すると、ジアルキルスルホサクシネートを高濃度で含有し、低温安定性及び使用時の温水への溶解性が改善された組成物が望まれる。
【０００８】
また、一般的に給食等では、メラミン、ポリカーボネイト、ポリエステル等のプラスチック製容器を用いる。これらの容器は安全性に優れるが、浸漬洗浄剤に含まれる溶剤の影響を受け、表面形状が変化し、劣化する。デンプン汚れの浸漬洗浄のためには、このような容器への悪影響のない組成物が望まれる。
【０００９】
本発明は、乾燥固着した米飯汚れが付着した食器を、自動食器洗浄機での洗浄を行う前に、短時間浸漬させることで、自動食器洗浄機での洗浄による米飯汚れの除去性が向上し、且つ界面活性剤濃度が高くても、低温安定性が良く、使用時に温水への溶解性に優れ、使用することで食器を劣化させることのない食器用浸漬洗浄剤組成物、及びこれを用いた食器の洗浄方法に関する。
【課題を解決するための手段】
【００１０】
本発明は、（Ａ）炭素数８以上、１８以下の直鎖又は分岐鎖のアルキル基を２つ有するジアルキルスルホサクシネート又はその塩（以下、（Ａ）成分という。）５５質量％以上、７５質量％以下、（Ｂ）ジエチレングリコールモノブチルエーテル（以下、（Ｂ）成分という。）０．５質量％以上、5０質量％以下、及び水を含有する、食器用浸漬洗浄剤組成物に関する。
【００１１】
また、本発明は、下記工程１の終了後、下記工程２を行う、食器の洗浄方法に関する。
工程１：下記（Ａ）成分０．００５５質量％以上、３．７５質量％以下、下記（Ｂ）成分を０．００００５質量％以上、２．５質量％以下、及び水を含有する洗浄液に、食器を浸漬する工程。
（Ａ）成分：炭素数８以上、１８以下の直鎖又は分岐鎖のアルキル基を２つ有するジアルキルスルホサクシネート又はその塩
（Ｂ）成分：ジエチレングリコールモノブチルエーテル
工程２：自動食器洗浄機を用いて食器を洗浄する工程。
【００１２】
なお本発明において、食器用とは、食器用及び調理器具用の何れも含むものとする。また食器には食品用の保存容器を含むものとする。
【発明の効果】
【００１３】
本発明によれば、乾燥固着した米飯汚れが付着した食器を、自動食器洗浄機での洗浄を行う前に、短時間浸漬させることで、自動食器洗浄機での洗浄による米飯汚れの除去性が向上し、且つ界面活性剤濃度が高くても、保存時の低温安定性が良く、使用時に温水への溶解性に優れ、かつ、食器への影響がない食器用浸漬洗浄剤組成物、及びこれを用いた食器の洗浄方法が提供される。
【発明を実施するための形態】
【００１４】
本発明の効果が発現される理由は定かではないが、次のように推察される。デンプン汚れは、水との接触により膨潤し粘性が低下する事で、洗浄しやすさが向上する。通常行われている浸漬では、デンプン汚れの外部から膨潤が起こる為、長い浸漬時間が必要であった。一方、本発明の食器用浸漬洗浄剤組成物は、（Ａ）成分と（Ｂ）成分とを組み合わせたことで、デンプン汚れと食器の境界部分から内部空隙部への濡れ性が向上し、デンプン汚れの内部、外部の両方からデンプンの膨潤が進行すると考えられる。併せて、（Ｂ）成分は、（Ａ）成分が水と混合されることによる増粘を適切に制御し、増粘を抑制しているものと考えられる。これらの結果、短時間の浸漬でデンプン汚れが除去しやすい状態となり、自動食器洗浄機を用いた洗浄でのデンプン汚れの洗浄性を向上できたと考えられる。
【００１５】
〔食器用浸漬洗浄剤組成物〕
＜（Ａ）成分＞
本発明の（Ａ）成分は、炭素数８以上、１８以下の直鎖又は分岐鎖のアルキル基を２つ有するジアルキルスルホサクシネート又はその塩である。具体的には、下記一般式（Ｉ）で表されるジアルキルスルホサクシネートが挙げられる。
【００１６】
【化１】
0006666078.tif 000002
【００１７】
〔式中、Ｒ１、Ｒ２は、それぞれ、炭素数８以上、１８以下の直鎖又は分岐鎖のアルキル基である。Ｍは無機又は有機の陽イオンである。〕
【００１８】
一般式（Ｉ）中のＲ１、Ｒ２は、同一でも異なっていても良い。Ｒ１、Ｒ２の炭素数は、デンプン除去性のさらなる向上の観点から、５以上が好ましく、６以上がより好ましく、７以上が更に好ましく、そして、デンプン除去性のさらなる向上の観点から、１８以下が好ましく、１４以下がより好ましく、１０以下が更に好ましい。
一般式（Ｉ）中、Ｒ１、Ｒ２は、それぞれ、具体的には、ｎ−オクチル基、ノニル基、デシル基、ドデシル基、トリデシル基、２−エチルヘキシル基、ｓｅｃ−オクチル基、イソペンチル基、イソノニル基、イソデシル基、及びシクロヘキシル基から選ばれるアルキル基が挙げられ、好ましくはｎ−オクチル基、ｓｅｃ−オクチル基、デシル基、イソデシル基、及び２−エチルヘキシル基から選ばれる基である。
一般式（Ｉ）中、Ｍとしては、水素イオン、ナトリウムイオン、カリウムイオン、リチウムイオン、マグネシウムイオン、アンモニウムイオンから選ばれる無機陽イオン、モノエタノールアンモニウムイオン、ジエタノールアンモニウムイオン、トリエタノールアンモニウムイオンから選ばれる有機陽イオンが挙げられ、好ましくはナトリウムイオン、カリウムイオン、マグネシウムイオン、及びアンモニウムイオンから選ばれる陽イオンである。好ましくは、ナトリウムイオン及びカリウムイオンであり、ナトリウムイオンがより好ましい。
【００１９】
一般式（Ｉ）中のＲ１、Ｒ２が同一の化合物の調製方法としては、特に限定されるものではないが、例えば米国特許明細書第２，０２８，０９１号公報に記載の方法を参考して製造することができ、また、Ｒ１、Ｒ２が異なる非対称の化合物は、例えば特開昭５８−２４５５５号公報に記載の方法を参考して製造することができる。市販の化合物を用いる場合には、東邦化学工業（株）エアロールＣＴ−１Ｋ（Ｒ１、Ｒ２が共に２−エチルヘキシル基である化合物）、三洋化成工業（株）サンモリンＯＴ−７０Ｓ（Ｒ１、Ｒ２が共に２−エチルヘキシル基である化合物）、花王（株）製ペレックスＯＴ−Ｐ（Ｒ１、Ｒ２が共に２−エチルヘキシル基である化合物）、同ペレックスＴＲ（Ｒ１、Ｒ２が共にトリデシル基である化合物）、ＢＡＳＦ社製ＬｕｅｎｓｉｔＡ−ＢＯ（Ｒ１、Ｒ２が共に２−エチルヘキシル基である化合物）、三井サイテック株式会社から入手可能であったエアロゾルＡ−１９６（Ｒ１、Ｒ２が共にシクロヘキシル基である化合物）などを用いることができる。
【００２０】
＜（Ｂ）成分＞
本発明の（Ｂ）成分はジエチレングリコールモノブチルエーテルである。（Ｂ）成分は、（Ａ）成分を所定濃度で含有する本発明の組成物に対して、低温安定性、使用時の温水への溶解性を向上させる。また、所定量の（Ｂ）成分を用いることで、プラスチック製食器に対する損傷を低減できる。
【００２１】
＜水＞
本発明の食器用浸漬洗浄剤組成物は水を含有する。水は、組成物の残部となる量で用いられる。組成物中の各成分の含有量は特に断らない限り、水を含めた成分の全量に対する質量％である。
【００２２】
＜その他の成分＞
本発明の食器用浸漬洗浄剤組成物は、温水溶解性及び低温安定性のさらなる向上の観点から、更に（Ｃ）成分として、プロピレングリコールを含有することが好ましい。
【００２３】
本発明の食器用浸漬洗浄剤組成物は、低温安定性のさらなる向上の観点から、更に（Ｄ）成分として、エタノールを含有することが好ましい。
【００２４】
本発明の食器用浸漬洗浄剤組成物は、本発明の目的を損なわない範囲で、溶剤、ハイドロトロープ剤、分散剤、ｐＨ調整剤、増粘剤、粘度調整剤、香料、着色剤、酸化防止剤、防腐剤、抑泡剤、漂白剤、漂白活性化剤などの成分（ただし、（Ａ）〜（Ｄ）成分を除く）を配合することができる。
【００２５】
＜組成等＞
本発明の食器用浸漬洗浄剤組成物は、（Ａ）成分を、５５質量％以上、７５質量％以下含有する。本発明の食器用浸漬洗浄剤組成物は、（Ａ）成分を、デンプン汚れ除去性及び低温安定性のさらなる向上の観点から、好ましくは５７質量％以上、より好ましくは６０質量％以上、そして、温水溶解性及び低温安定性のさらなる向上の観点から、好ましくは７３質量％以下、より好ましくは７０質量％以下含有する。
【００２６】
本発明の食器用浸漬洗浄剤組成物は、（Ｂ）成分を、０．５質量％以上、５０質量％以下含有する。本発明の食器用浸漬洗浄剤組成物は、（Ｂ）成分を、低温安定性のさらなる向上の観点から、好ましくは１．０質量％以上、より好ましくは２質量％以上、そして、食器に対する非損傷性の観点から、好ましくは２０質量％以下、より好ましくは１０質量％以下、更に好ましくは７質量％以下、より更に好ましくは５質量％以下含有する。
【００２７】
本発明の食器用浸漬洗浄剤組成物では、（Ａ）成分と（Ｂ）成分の質量比（Ａ）／（Ｂ）が、低温安定性及び食器に対する非損傷性のさらなる向上の観点から、好ましくは１．１以上、より好ましくは２以上、更に好ましくは５．５以上、より更に好ましくは１０以上である。そして、当該質量比が、温水溶解性のさらなる向上の観点から、好ましくは１３０以下、より好ましくは１００以下、更に好ましくは８０以下、より更に好ましくは５０以下、より更に好ましくは２５以下である。
【００２８】
本発明の食器用浸漬洗浄剤組成物は、（Ｃ）成分を、温水溶解性のさらなる向上の観点から、好ましくは１０質量％以上、より好ましくは１１質量％以上、更に好ましくは１２質量％以上、そして、低温安定性のさらなる向上の観点から、好ましくは１６質量％以下、より好ましくは１５質量％以下、更に好ましくは１４質量％以下含有する。
【００２９】
本発明の食器用浸漬洗浄剤組成物は、（Ｄ）成分を、温水溶解性及び低温安定性のさらなる向上の観点から、好ましくは０．３質量％以上、より好ましくは０．５質量％以上、そして、低温安定性のさらなる向上の観点から、好ましくは８質量％以下、より好ましくは５質量％以下、更に好ましくは１質量％以下含有する。
【００３０】
本発明の食器用浸漬洗浄剤組成物は、水を、好ましくは５質量％以上、より好ましくは１０質量％以上、更に好ましくは１５質量％以上、そして、好ましくは４０質量％以下、より好ましくは３０質量％以下、更に好ましくは２５質量％以下含有する。
【００３１】
本発明の食器用浸漬洗浄剤組成物の２５℃におけるｐＨは、デンプン汚れ除去性のさらなる向上の観点から、好ましくは４以上、より好ましくは５以上であり、そして、低温安定性のさらなる向上の観点から、好ましくは１２以下、より好ましくは１０以下、更に好ましくは８以下である。ｐＨは、JIS K 3362:2008 8.3の記載に準じて測定することができる。
【００３２】
本発明の食器用浸漬洗浄剤組成物の２５℃における粘度は、ハンドリング性及び温水溶解性のさらなる向上の観点から、好ましくは１０ｍＰａ・ｓ以上、より好ましくは３０ｍＰａ・ｓ以上であり、そして、好ましくは２００ｍＰａ・ｓ以下、より好ましくは１８０ｍＰａ・ｓ以下である。粘度は、JIS Z 8803:2011の記載に準じて測定することができ、具体的には、TOKIMEC社製B型粘度計を用いて、ローター：No.１、回転数：30rpmの条件で測定することができる。
【００３３】
＜食器の洗浄方法＞
本発明は、下記工程１の終了後、下記工程２を行う、食器の洗浄方法に関する。
工程１：下記（Ａ）成分０．００５５質量％以上、３．７５質量％以下、下記（Ｂ）成分を０．００００５質量％以上、２．５質量％以下、及び水を含有する洗浄液に、食器を浸漬する工程。
（Ａ）成分：炭素数８以上、１８以下の直鎖又は分岐鎖のアルキル基を２つ有するジアルキルスルホサクシネート又はその塩
（Ｂ）成分：ジエチレングリコールモノブチルエーテル
工程２：自動食器洗浄機を用いて食器を洗浄する工程。
【００３４】
洗浄液中の（Ａ）成分の含有量は、デンプン汚れ洗浄性のさらなる向上の観点から、好ましくは０．０５７質量％以上、更に好ましくは０．０６０質量％以上であり、そして温水溶解性のさらなる向上の観点から、好ましくは０．７５質量％以下、より好ましくは０．３８質量％以下、更に好ましくは０．１５質量％以下、より更に好ましくは０．１質量％以下、より更に好ましくは０．０８質量％以下、より更に好ましくは０．０７質量％以下である。
また、洗浄液中の（Ｂ）成分の含有量は、温水溶解性のさらなる向上の観点から、好ましくは０．００００５質量％以上、より好ましくは０．００１質量％以上、更に好ましくは０．００２質量％以上であり、そして食器に対する損傷性のさらなる向上の観点から好ましくは０．５質量％以下、より好ましくは０．２５質量％以下、更に好ましくは０．１質量％以下、より更に好ましくは０．０５質量％以下、より更に好ましくは０．０２質量％以下、より更に好ましくは０．０１質量％以下、より更に好ましくは０．００５質量％以下である。
【００３５】
本発明の食器洗浄の洗浄方法で用いる、（Ａ）成分と（Ｂ）成分は、前記の食器用浸漬洗浄剤組成物に記載の（Ａ）成分、（Ｂ）成分であり、好ましい態様も同じである。
【００３６】
本発明の食器洗浄の洗浄方法で用いる洗浄液は、（Ｃ）成分として、プロピレングリコールを含有することが好ましい。
また、本発明の食器洗浄の洗浄方法で用いる洗浄液は、（Ｄ）成分として、エタノールを含有することが好ましい。（Ｃ）成分と（Ｄ）成分は、前記の食器用浸漬洗浄剤組成物に記載の（Ｃ）成分、（Ｄ）成分であり、好ましい態様も同じである。
【００３７】
また、（Ｃ）成分を含有する場合、洗浄液中の（Ｃ）成分の濃度は、温水溶解性のさらなる向上の観点から、好ましくは０．００１質量％以上、より好ましくは０．０１２質量％以上である。そして低温安定性のさらなる向上の観点から、好ましくは０．８質量％以下、より好ましくは０．０８質量％以下である。
【００３８】
また、（Ｄ）成分を含有する場合、洗浄液中の（Ｄ）成分の濃度は、低温安定性のさらなる向上の観点から、好ましくは０．００００３質量％以上、より好ましくは０．０００５質量％以上である。そして低温安定性のさらなる向上の観点から、好ましくは０．４質量％以下、より好ましくは０．０４質量％以下である。
【００３９】
工程１で用いる洗浄液は、本発明の食器用浸漬洗浄剤組成物から調製されたものが好ましい。より具体的には、本発明の食器用浸漬洗浄剤組成物を、水で希釈した洗浄液である。（Ａ）成分、（Ｂ）成分の濃度が前記範囲となるように、本発明の食器用浸漬洗浄剤組成物を水で希釈することが好ましい。またデンプン汚れ除去性のさらなる向上の観点から、前記本発明の食器用浸漬洗浄剤組成物を水で好ましくは０．０１質量％以上、より好ましくは０．０５質量％以上、更に好ましくは０．１質量％以上、そして、好ましくは５質量％以下、より好ましくは１質量％以下、更に好ましくは０．５質量％以下、より更に好ましくは０．２質量％以下に希釈して用いる。
【００４０】
工程１では、でんぷん汚れ除去性のさらなる向上の観点から、食器を前記洗浄液に、好ましくは１分以上、より好ましくは３分以上、更に好ましくは５分以上、そして、同様の観点から、好ましくは１２０分以下、より好ましくは９０分以下、更に好ましくは６０分以下、より更に好ましくは３０分以下、浸漬する。また浸漬の際、食器類をスポンジ等で手洗いしても良い。
【００４１】
前記洗浄液の温度は、デンプン汚れ洗浄性のさらなる向上の観点から、好ましくは２０℃以上、より好ましくは３０℃以上、更に好ましくは４０℃以上であり、そして経済性及び安全性の観点から、好ましくは６０℃以下、より好ましくは５５℃以下、更に好ましくは５０℃以下である。洗浄液の温度は、食器を浸漬させる前の温度であってもよい。浸漬の間、前記温度を維持することが好ましい。
【００４２】
また前記洗浄液のｐＨは、デンプン汚れ洗浄性のさらなる向上の観点から、好ましくは５以上、より好ましくは６以上であり、そして安全性の観点から、好ましくは１２以下、より好ましくは１１以下、更に好ましくは９以下である。このｐＨは、浸漬させる際の温度におけるｐＨであってよい。また、このｐＨは、洗浄液２０℃でのｐＨであってよい。
【００４３】
食器の浸漬は、洗浄液を収容した浸漬槽を用いて行うことができる。浸漬槽は、一般的にシンクと表現されているものを使用することができる。業務用で使用されるシンクの容積は、厨房に於ける洗浄室の広さにより異なるが、例えば、０．１ｍ３以上、３ｍ３以下のものが挙げられる。食器は、洗浄液に完全に浸漬することが好ましい。食器を完全に浸漬する容積を有する浸漬槽と洗浄液の量を組み合わせることが好適である。
【００４４】
＜工程２＞
工程２では、工程１で洗浄液への浸漬を終えた食器を、自動食器洗浄機を用いて食器を洗浄する。
工程１で洗浄液に浸漬した食器は水ですすがなくてもよいし、水ですすいでもよい。
工程２で用いる自動食器洗浄機は、一般に市場で入手可能な自動食器洗浄機であればよく、家庭用自動食器洗浄機を用いることも可能である。また、工程２での洗浄条件は特に限定されず、洗浄剤の種類、洗浄温度、洗浄時間などは、自動食器洗浄機による公知の洗浄条件に準じて行うことができる。工程２で用いる自動食器洗浄機は、好ましくは業務用自動食器洗浄機である。
【実施例】
【００４５】
＜食器用浸漬洗浄剤組成物の調製方法＞
下記の表１、表２、及び表３記載の食器用浸漬洗浄剤組成物を、下記のように調製した。
（１）（Ａ）成分を、１５０℃〜１８０℃にて２０分間加熱し溶解させた。
（２）溶解した（Ａ）成分に（Ｃ）成分を徐々に添加、混合した。
（３）混合物が均一に溶解したことを確認した後、７０℃以下まで徐々に冷却した。
（４）高温の為、飛散した（Ｃ）成分を追加し調製を行った後、イオン交換水を徐々に添加し、混合した。
（５）混合物が均一に溶解したことを確認した後、４０℃以下まで徐々に冷却した後、（Ｂ）成分を徐々に添加、混合した。
（６）混合物が均一に溶解したことを確認した後、（Ｄ）成分を徐々に添加、混合した。
（７）混合物が均一に溶解したことを確認し、食器用浸漬洗浄剤組成物を得た。
ここで、表１の比較例１−１〜１−４の組成物に関しては、（Ｂ）成分の代わりに表１記載の化合物を用いて食器用浸漬洗浄剤組成物を調製した。
【００４６】
ここで、用いた成分は以下のものである。
・（Ａ）成分：スルホコハク酸ジ−２−エチルヘキシル  ナトリウム塩（東京化成工業製、試薬：１００％品）
・（Ｂ）成分：ジエチレングリコールモノブチルエーテル（品名：ＢＤＧ−ＮＳ（日本乳化剤株式会社製））
・（Ｃ）成分：プロピレングリコール（旭硝子株式会社製）
・（Ｄ）成分：エタノール（試薬１級）
【００４７】
＜評価方法＞
得られた食器用浸漬洗浄剤組成物を用いて以下の評価を行った。
〔Ｉ〕デンプン汚れ除去性
（１）直径１２ｃｍ、高さ４．５ｃｍで、側面からの形状が半円形状のメラミン製茶碗の内側に、炊飯器で炊いた米飯を、平面から見た茶碗の直径と重なるように幅３ｃｍ、長さ１６ｃｍの帯状で、米粒が残らない様に擦りつけた。米飯の温度は４０±１０℃であった。
（２）米飯を擦りつけたメラミン製茶碗を、２５℃±５℃に調整された部屋で２時間放置し、擦りつけた米飯が乾燥、固化している事を触手で確認した。
（３）４５℃の温水８００ｍＬを、縦１８．７ｃｍ、横１２．８ｃｍ、高さ６．０ｃｍのポリプロピレン製バットに入れ、表記載の食器用浸漬洗浄剤組成物を０．８ｇ投入し、洗浄液を調製した。洗浄液中の食器用浸漬洗浄剤組成物の濃度は０．１質量％であった。
（４）茶碗を、米飯を擦りつけた面積の半分が浸かるように、洗浄液に５分間浸漬（工程１）後、取り出した。
（５）取り出した茶碗は１分以内に、１ドアタイプの業務用食器洗浄機（三洋電機株式会社製  ＳＡＮＹＯ  ＤＲ５３）にセットし、洗浄温度５０℃、洗浄時間４０秒、濯ぎ温度８０℃、濯ぎ時間１０秒の条件で洗浄した（工程２）。尚、洗浄機の洗浄液槽（３８Ｌ）を、業務用自動食器洗浄剤（アクシャルニュースターＡＮ：花王株式会社製）にて、濃度が０．１５質量％になる様に予め洗浄液を調製している。又、この食器洗浄機では、洗浄中、洗浄液槽に収容された洗浄液の濃度は一定となるように制御されている。
（６）洗浄終了後、取り出した茶碗内側の米飯汚れの洗浄性確認の為、ヨウ素化デンプン反応を用いた着色度合にて確認した。
（７）ヨウ素溶液（試薬：０．０１Ｎ）を、茶碗内側全体に噴霧した後、４０℃±５℃の温水で１０秒間すすぎ、浸漬部分の着色度合を目視にて判定した。デンプン汚れ除去性の評価は、下記に示す５段階の評価基準に従って評価した。
５：浸漬部分に、極僅かに着色が認められる（極僅かに、デンプン汚れが残存。）。
４：浸漬部分に、僅かに着色が認められる。
３：浸漬部分に、着色が認められる。
２：浸漬部分に、多く着色が認められる。
１：浸漬部分に、非常に多く着色が認められる（表記載の食器用浸漬洗浄剤組成物を投入していないものと、同等である。）。
【００４８】
〔II〕低温安定性
表記載の食器用浸漬洗浄剤組成物を、１００ｍｌのガラス製容器（マルエム社製Ｎｏ８、４０ｍｍ×１２０ｍｍ）に８０ｍｌ入れ密閉し、−５℃で１４日間の保存を行い、液の外観状態を下記に示す５段階の評価基準に従って評価した。
５：均一透明（濁りは全く認められない。）。
４：極僅かに、濁りが認められる。
３：僅かに、濁りが認められる。
２：濁りが認められる。
１：濁りが認められ且つ、２層分離を起こしている。
【００４９】
〔III〕温水溶解性
１０００ｍＬのビーカーに温水（４５℃±５℃）を８００ｍＬ投入した。そこに、表記載の食器用浸漬洗浄剤組成物を０．８ｇ投入し、直径１０ｍｍ、長さ３３０ｍｍのポリプロピレン製の棒にて円を描く様に静かに撹拌を１０回行った後、５分間静置した。静置後、ビーカー下層部への沈降物を目視確認した。温水溶解性の評価を下記に示す５段階の評価基準に従って評価した。
５：溶け残りなし（５分静置で溶解）。
４：極僅かに、溶け残りが見られる（１０分静置で溶解）。
３：僅かに、溶け残りが見られる（２０分静置で溶解）。
２：溶け残りが見られる（４０分静置で溶解）。
１：溶け残りが多く見られる（６０分静置で溶解）。
【００５０】
〔IV〕質量変化率
表記載の食器用浸漬洗浄剤組成物をイオン交換水にて１質量％溶液に希釈し、１００ｍｌの硝子製容器（アズワン社製：Ｎｏ１１、直径４０ｍｍ×高さ７５ｍｍ）に１００ｇ投入し、洗浄液を得た。当該洗浄液に、電子天秤CPA224S（sartorius社製）で、予め計量（少数点第四位迄を有効数字）したメラミン樹脂性テストピース（３０ｍｍ×８０ｍｍ×３ｍｍ）を浸漬し、密閉した。５０℃で１０日間の保存を行った後、テストピースを取り出し、水洗し、室温下で乾燥して質量を測定した。食器用浸漬洗浄剤組成物での浸漬による質量変化率は以下の式より求め、判定を行った。尚、イオン交換水にて上記浸漬評価を行った場合のテストピースの質量変化率は０％であった。
質量変化率（％）＝（初期質量−保存後質量）／初期質量
質量変化率の値から、下記に示す５段階の評価基準に従って評価した。
５：０％以上、０．５％未満
４：０．５％以上、２％未満
３：２％以上、５％未満
２：５％以上、１０％未満
１：１０％以上
【００５１】
【表１】
0006666078.tif 000003
【００５２】
【表２】
0006666078.tif 000004
【００５３】
【表３】
0006666078.tif 000005